(57)【要約】【課題】体臭等が染みついて、不快臭を発することのない立体構造状ネットを提供する。【解決手段】合成繊維製糸を用いて、経編編成により表裏の素地1・２の少なくとも一方が網状に編成され、且つ該両素地1・２を所要の間隔を存して合成繊維製の連結糸３で連結し、ネット目空間を画成する紐部４が立体状をなす立体構造状ネットＡであって、立体構造状ネットＡの表裏の素地1・２および連結糸３の少なくとも一つに、消臭機能を備えた繊維糸を編成して立体構造状ネットとする。【選択図】図２
2006077365.tif 000002
【特許請求の範囲】
【請求項１】
合成繊維製糸を用いて、経編編成により表裏の素地の少なくとも一方が網状に編成され、且つ該両素地を所要の間隔を存して合成繊維製の連結糸で連結し、ネット目空間を画成する紐部が立体状をなす立体構造状ネットであって、立体構造状ネットの表裏および連結糸の少なくとも一つに、消臭機能を備えた繊維糸を編成したことを特徴とする消臭機能を有する立体構造状ネット。
【請求項２】
請求項１記載の立体構造状ネットにおいて、表裏の素地および連結糸を編成する筬の他に、消臭機能を備えた繊維糸を編成する筬を別に設けて、前記素地および連結糸の少なくとも一つに、消臭機能を備えた繊維糸を編成して、気体または液体との接触面を大きくしたことを特徴とする消臭機能を有する立体構造状ネット。
【発明の詳細な説明】
【技術分野】
【０００１】
本発明は、立体構造状ネット、特に消臭機能を有するクッションやマットの芯材、タペストリーや建材、防音材、カーペット、ホットカーペットや敷毛布用のクッション材、インソール、衣料用スペーサー、健康および医療用ネット、気体または液体浄化材等に使用することができる消臭機能を有する立体構造状ネットに関するものである。
【背景技術】
【０００２】
従来、例えば衣料用の通気性スペーサー(例えば、肩パッドやブラジャーパッド)等として使用される経編編成によるネットやメッシュ状編地として、後述する特許文献１(特開平２−７４６４７号)に開示されているように、少なくとも一方が網状をなす表裏の素地を連結糸により連結して、ネット目空間を画成する紐部を立体構造にして、厚みおよび空隙保有率を高くしたネットが知られている。
【０００３】
また、後述する特許文献２(特許第３１２５０６５号)に開示されているように、立体構造状ネットにおいて、ネット目空間を画成する立体状紐部の高さ、すなわち、ネットの厚み方向寸法に差をつけることとして、ネット表面を凹凸状にし、部分的に耐圧力や剛性を高くすることによって、人体に対して面接触でなく、点または波状の接触となるようにした立体構造状ネットが知られている。
【０００４】
【特許文献１】特開平２−７４６４７号公報
【特許文献２】特許第３１２５０６５号公報
【発明の開示】
【発明が解決しようとする課題】
【０００５】
前記特許文献１に開示された通気性スペーサー、および前記特許文献２に開示された立体構造状ネットの両者とも、消臭機能を備えていないため、肩パッドやブラジャーパッド、またはクッションやマットの芯材、タペストリーや建材、防音材、カーペット、ホットカーペットや敷毛布用のクッション材、インソール、衣料用スペーサー、健康および医療用ネット、気体または液体浄化材等に使用すると、体臭や汚臭等が染みつき、不快臭を発してしまうという課題があった。
【０００６】
本発明は、前記課題を解決すべくなされたもので、立体構造状ネットを構成する表裏および連結糸の少なくとも一つに消臭機能を有する繊維糸を編成した消臭機能を有する立体構造状ネットを提供しようとするものである。
【課題を解決するための手段】
【０００７】
本発明は、合成繊維製糸を用いて、経編編成により表裏の素地の少なくとも一方が網状に編成され、且つ該両素地を所要の間隔を存して合成繊維製の連結糸で連結し、ネット目空間を画成する紐部が立体状をなす立体構造状ネットであって、立体構造状ネットの表裏および連結糸の少なくとも一つに、消臭機能を備えた繊維糸を編成するという手段を採用することにより、上記課題を解決した。
【発明の効果】
【０００８】
立体構造状ネットを構成する表裏の素地と連結糸が耐摩耗性を有する合成繊維糸により形成されると共に、更に、消臭機能を有する繊維糸を編成したので、合成繊維糸の耐摩耗性と、消臭繊維糸の消臭機能を兼ね備えた立体構造状ネットが得られる。そして、立体構造状ネットは、肩パッドやブラジャーパッド、またはクッションやマットの芯材、タペストリーや建材、防音材、カーペット、ホットカーペットや敷毛布用のクッション材、インソール、衣料用スペーサー、健康および医療用ネット、気体または液体浄化材、その他耐摩耗性を要求されるような物に使用することができる。
【実施例】
【０００９】
本発明の実施例を図面に基づいて詳細に説明する。本発明立体構造状ネットは、例えば前記特許文献１・２に記載されたものの外、従来公知の立体構造状ネットにも適用することができる。
【００１０】
すなわち、本発明消臭機能を有する立体構造状ネットは、合成繊維製糸を用いて、経編編成により表裏の素地の少なくとも一方が網状に編成され、且つ該両素地を所要の間隔を存して合成繊維製の連結糸で連結し、ネット目空間を画成する紐部が立体状をなす立体構造状ネットであって、立体構造状ネットの表裏および連結糸の少なくとも一つに、消臭機能を備えた繊維糸を編成したものである。
【００１１】
図１は、本発明消臭機能を有する立体構造状ネットの実施例を示す斜視図、図２は、同拡大斜視図、図３は同拡大断面図である。
【００１２】
図１〜図３において、１・２はそれぞれ表裏の網状をなす素地を示し、３は前記表裏の素地１・２において網目を形成する各紐条部１１・２１間に掛け渡された連結糸を示し、これら表裏の紐条部１１・２１間に掛け渡された連結糸３とにより紐部４が形成され、且つ該複数本の紐部４を、複数のネット目空間Ｓを画成するようにして結節して立体構造状ネットＡが形成されている。前記素地１・２および連結糸３は、ポリエステル繊維やナイロン等の合成繊維糸を使用することにより、耐摩耗性を有する立体構造状ネットが得られる。
【００１３】
そして、前記表裏の素地１・２および連結糸３の少なくとも一つに、消臭機能を備えた消臭繊維糸５を編成して本発明消臭機能を有する立体構造状ネットが形成されている。図３においては、１列に編成された連結糸３に消臭繊維糸５が編成されている状態が図示され、更に、図４においては、２列に編成された連結糸３に消臭繊維糸５が編成されている状態が図示されているが、前記消臭繊維糸５は、表裏の素地１・２および連結糸３のすべてに、または少なくとも表裏の素地１・２および連結糸3のいずれか一つに消臭繊維糸５を編成する。前記消臭繊維糸５は、ネット目空間Ｓを有する立体構造状ネットＡに使用されているため、空気層による空気の流通が多く、効率よく効果的に消臭することが可能である。
【００１４】
なお、図２に示す実施例においては、表裏の素地１・２の紐条部１１・２１は、それぞれ鎖編糸と鎖編ウェールに対し横振り挿入される挿入糸とによる１、もしくは複数ウェール(図２の場合は、２ウェール)の網目列より成り、この紐条部１１・２１が左右に隣接する紐条部１１・２１と、ネット目空間Ｓに相当する所要間隔毎に交互に結節されて編方向に連続しており、これにより四角形や菱形あるいは略六角形等の多角形をなしているネット目空間Ｓを形成する(図１・図２においては、ネット目空間Ｓは四角形)。
【００１５】
前記図１・図２においては、表裏の素地１・２がいずれも網状に編成されているが、表裏のいずれか一方の素地が網状に編成され、且つ他方の素地が網状以外の、例えば平織状等に編成してもよい。
【００１６】
本発明立体構造状ネットＡにおいて、消臭繊維糸５による大なる消臭効果を得るためには、当然ながら、表裏の素地１・２および連結糸３のすべてに前記消臭繊維糸５を編成することが好ましいが、使用目的に応じて、該消臭繊維糸５の編成部分および量を適宜決定すればよい。
【００１７】
そして、特に、表裏の素地１・２および連結糸３を合成繊維糸で形成し、更に、前記表裏の素地１・２および連結糸３を編成する筬の他に、消臭機能を有する消臭繊維糸５を編成する筬を別に設けて、該消臭繊維糸５を前記素地１・２および連結糸３に、気体または液体との接触面を大きくなるよう編成することにより、合成繊維糸の耐摩耗性と消臭繊維糸の消臭機能を合わせ持つと共に、消臭効果が大なる立体構造状ネットが得られる。
【００１８】
なお、前記消臭繊維糸５は、特に限定する必要はないが、好ましくは、特許第３２３９１４６号として開示された消臭機能を有するセルロース繊維を使用することが推奨される。
【００１９】
前記消臭機能を有する消臭繊維は、カルボキシル基を導入するために、過酸化水素と二価鉄塩を含む水溶液中において、セルロース繊維にメタクリル酸をグラフト共重合させるという方法を用いることによって製造される繊維である。
【００２０】
そして、前記方法によって得られたセルロース繊維は、その分子中にカルボキシル基を導入したことから、親水性が向上すると共に、アンモニアやアミン、屎尿臭等の塩基性悪臭物質に対する吸着性に優れたもので、消臭性繊維としての作用を示す。
【００２１】
而して、悪臭(アンモニア、アミン)は、蛋白質の分解から発生する。前記蛋白質はα−アミノ酸が酸アミド結合、いわゆるペプチド結合によって相互に結合した高分子含窒素化合物であり、その主成分のα−アミノ酸の化学構造式は、ＲＣＨ（ＮＨ２）ＣＯＯＨでアミノ基とカルボキシル基が共存している。
【００２２】
そして、前記α−アミノ酸は、生体内で一般に酸化的に脱アミノ化されてαケト酸とアンモニアに分解して悪臭を発生する。これを化学結合式で表せば、ＲＣＨ（ＮＨ２）ＣＯＯＨ→ＲＣＯＣＯＯＨ＋ＮＨ３となる。また、あるバクテリアは、α−アミノ酸を脱炭酸せしめてアミンを形成して悪臭を発生する。これを化学結合式で表せば、ＲＣＨ（ＮＨ２）ＣＯＯＨ＋Ｈ２→ＲＣＨ２ＮＨ２＋Ｈ２ＣＯ２となる。
【００２３】
一方、前記α−アミノ酸は金属塩と錯塩を形成し、且つ両性化合物であるので、酸・アルカリいずれとも結合し塩を作る。前記製造方法によって得られたセルロース繊維を解砕した粉末は、これら蛋白質の分解から発生する悪臭(アンモニア、アミン)とよく化学結合(中和反応)して消臭効果を発揮する。アンモニアの中和反応を化学結合式で表せば、−ＣＯＯＨ＋ＮＨ３→−ＣＯＯＮＨ４となり、アンモニアを脱臭する。
【００２４】
前記構成より成る本発明消臭機能を有する、前記特許第３２３９１４６号による消臭繊維糸を用いた立体構造状ネットにつき、アンモニアに対する消臭テストをした結果を表１に示す。前記消臭テストは、実践女子大学生活環境管理研究室の小見山研究室において行った。テストに用いた検体は、本発明消臭機能を有する１０ｃｍ×１０ｃｍ巾、重量５．３９ｇ(うち、消臭繊維糸  １．４５ｇ) 立体構造状ネットを、初期アンモニアガス濃度：２２３ｐｐｍの２&#8467;アルミバック中に入れ、ガステック社  ＧＶ−１００による北川式ガス検知管法により測定した。
【００２５】
【表１】
2006077365.tif 000003
【００２６】
前記表１に示す測定の結果、７分後にはアンモニア濃度が０ｐｐｍとなり、またアンモニアの残存率も０％で、アンモニアに対する消臭効果が実証された。前記測定結果から、アンモニア以外の硫化水素、トリメチルアミンまたはメチルメルカブタン等の臭気に対しても、当然消臭効果を有することが推測できる。
【００２７】
なお、本発明立体構造状ネットに前記特許第３２３９１４６号による消臭繊維糸を用いた場合、消臭能力が劣化した場合は洗濯することによって、その機能を回復することができる。そして、立体構造状ネットとすることにより、前記ネット目空間Ｓがあるため、臭気との接触面が大きくなって消臭効率が高くなり、また十分な強度と洗濯後の乾燥が早いという利点がある。
【図面の簡単な説明】
【００２８】
【図１】本発明消臭機能を有する立体構造状ネットの斜視図である。
【図２】同拡大斜視図である。
【図３】本発明消臭機能を有する立体構造状ネットにおいて、１列に編成された連結糸に消臭機能糸を編成した状態を示す拡大横断面図である。
【図４】本発明消臭機能を有する立体構造状ネットにおいて、２列に編成された連結糸に消臭機能糸を編成した状態を示す拡大横断面図である。
【符号の説明】
【００２９】
Ａ：  立体構造状ネット
１：  表素地
２：  裏素地
３：  連結糸
４：  紐部
５：  消臭繊維糸
１１・２１ ：  紐条部
【図１】
2006077365.tif 000004
【図２】
2006077365.tif 000005
【図３】
2006077365.tif 000006
【図４】
2006077365.tif 000007